(57)【要約】【課題】常時動作を必要とする機能はそのままに、映像表示装置未使用時に無駄となる映像受信端末の消費電力を削減する。【解決手段】コンバータ電源供給部２２が、映像表示装置２の主電源に連動してＢＳコンバータに給電する。映像受信端末（ＳＴＢ、ＯＮＵ等）１の電圧検出部１６が、同軸ケーブル５を流れるＢＳコンバータ用出力電圧を検出する。電源制御部１７は、検出した電圧値が閾値以下の場合、映像表示装置２の主電源がオフ状態と判断して電源部１０から映像受信部１１への電源供給を停止させ、低消費電力モードにする。【選択図】図１
2011091547.tif 000002
【特許請求の範囲】
【請求項１】
局側装置又はアンテナからの映像信号を中継又は受信して映像表示装置へ送出する映像受信端末であって、
前記局側装置又は前記アンテナから入力された前記映像信号を復調すると共に利得を調整して前記映像表示装置へ送出する映像受信部と、
前記映像受信部に電源供給する電源部と、
前記映像表示装置の電源オン／オフ状態を監視して、そのオン／オフ状態に連動して前記電源部から前記映像受信部へ電源供給させる監視制御部とを備えることを特徴とする映像受信端末。
【請求項２】
監視制御部は、
映像表示装置が電源オン状態の場合にアンテナのコンバータに給電する電圧を検出する電圧検出部と、
前記電圧検出部が検出した電圧値が所定の閾値以下の場合に電源部を制御して映像受信部への電源供給を停止させ、当該電圧値が所定の閾値より大きい場合に前記電源部を制御して前記映像受信部へ電源供給させる電源制御部とを有することを特徴とする請求項１記載の映像受信端末。
【請求項３】
監視制御部は、
映像表示装置が電源オン状態の場合にアンテナのコンバータに給電するための接続線の電流量を検出する電流量検出部と、
前記接続線に接続して、電圧を発生させる電圧発生部と、
前記電流量検出部が検出した電流量が所定の閾値より大きい場合に電源部を制御して映像受信部への電源供給を停止させ、当該電流量が所定の閾値以下の場合に前記電源部を制御して前記映像受信部へ電源供給させる電源制御部とを有することを特徴とする請求項１記載の映像受信端末。
【請求項４】
局側装置又はアンテナからの映像信号を中継又は受信して映像表示装置へ送出する映像受信端末であって、
前記局側装置又は前記アンテナから入力された前記映像信号を復調する映像復調部と、
前記映像復調部が復調した前記映像信号の映像チャンネル別に利得を調整して前記映像表示装置へ送出する複数の利得調整部と、
前記映像復調部及び前記映像チャンネル別の複数の利得調整部それぞれに電源供給する電源部と、
前記映像表示装置の所定の映像チャンネルの視聴可／不可状態を監視して、その視聴可／不可状態に連動して前記電源部から前記所定の映像チャンネル用の利得調整部へ電源供給させる監視制御部とを備えることを特徴とする映像受信端末。
【請求項５】
監視制御部は、
映像表示装置が所定の映像チャンネルを視聴可状態の場合に当該映像チャンネルを受信するアンテナのコンバータに給電する電圧を検出する電圧検出部と、
前記電圧検出部が検出した電圧値が所定の閾値以下の場合に電源部を制御して前記アンテナが受信する映像チャンネル用の利得調整部への電源供給を停止させ、当該電圧値が所定の閾値より大きい場合に前記電源部を制御して前記映像チャンネル用の利得調整部へ電源供給させる電源制御部とを有することを特徴とする請求項４記載の映像受信端末。
【発明の詳細な説明】
【技術分野】
【０００１】
この発明は、局側装置又はアンテナからの映像信号を中継又は受信して映像表示装置へ送出する映像受信端末に関するものである。
【背景技術】
【０００２】
近年、映像配信方法の多様化に伴い、ＦＴＴＨ（Ｆｉｂｅｒ  Ｔｏ  Ｔｈｅ  Ｈｏｍｅ）を利用した映像配信サービス及びＣＡＴＶ（ＣＡｂｌｅ  ＴｅｌｅＶｉｓｉｏｎ）等が広く利用されるようになった。また、ＦＴＴＨの普及により、映像信号を中継する映像受信端末（ＳＴＢ：Ｓｅｔ−Ｔｏｐ  Ｂｏｘ、ＯＮＵ：Ｏｐｔｉｃａｌ  Ｎｅｔｗｏｒｋ  Ｕｎｉｔ等）が各家庭に配置されることが多くなった。家電製品の低消費電力化の動向に伴い、当然のことながら映像受信端末についても低消費電力化が求められている。
【０００３】
しかしながら、映像受信端末は、映像表示装置への映像配信機能だけでなく、インターネット接続及び電話等のデータ通信機能を備えていることが多いため、その場合には常時動作が必要となる。また、映像受信端末は、屋根裏等の取り扱い困難な場所に設置されることが多いため、外部操作によって消費電力を制御することは困難である。
【０００４】
そのため、一般に映像受信端末は、映像表示装置未使用時にも常時動作状態となっており、必要のない映像配信機能も常時動作状態としておくことにより無駄に電力を消費している。また、映像受信端末における映像配信機能に関する消費電力は、データ通信機能に関する消費電力よりも高い又は同程度である。そのため、これらの消費電力を削減することは、低消費電力化に非常に効果的であり、重要な課題であるといえる。
【０００５】
そこで、例えば特許文献１に係る発明では、映像表示装置の低消費電力化のために、ＢＳ（Ｂｒｏａｄｃａｓｔｉｎｇ  Ｓａｔｅｌｌｉｔｅ）チューナが内蔵されたテレビジョン受像機（映像表示装置）において、ＢＳコンバータを駆動させるための給電をテレビジョン受像機の主電源オン／オフと連動させる方法が開示されている。このテレビジョン受像機は、主電源オン／オフに連動させてＢＳコンバータを強制的にオン／オフ動作させることにより、低消費電力化を実現している。
【０００６】
また、特許文献２に係る発明では、複数の電気機器をネットワーク接続し、コマンド通信を利用して遠隔操作する電気機器遠隔操作システムが開示されている。このシステムでは、ネットワークを通じて管理端末からコマンドを受信した電気機器は、自機の電源オン／オフ情報を管理端末へ返信し、管理端末がその返信情報を元にその電気機器の電源状態を制御する。このシステムは、管理端末が電気機器間の電源状態を常時監視することにより、低消費電力化を実現している。
【先行技術文献】
【特許文献】
【０００７】
【特許文献１】特開平５−２６０４１５号公報
【特許文献２】特開２００６−２７９４２４号公報
【発明の概要】
【発明が解決しようとする課題】
【０００８】
しかしながら、従来の映像受信端末は映像表示装置とは別の電源を装備し、独立して動作しているため、特許文献１のテレビジョン受像機の低消費電力化の構成をそのまま映像受信端末にも適用してＢＳコンバータの給電によって映像受信端末を駆動する構成にすると、ＢＳコンバータの電源オン／オフにより映像受信端末の全機能が停止してしまうという課題があった。また、ＢＳコンバータの給電能力は１〜３Ｗ程度のため、仮にこのＢＳコンバータの給電を映像受信端末駆動用に使用した場合でも、映像受信端末の消費電力４〜８Ｗを補うことはできない。
【０００９】
また、特許文献２の技術を適用した場合、映像受信端末と映像表示装置とをネットワーク接続するためのＬＡＮ（Ｌｏｃａｌ  Ａｒｅａ  Ｎｅｔｗｏｒｋ）ケーブル用インタフェース等が別途必要になる。しかし、従来の映像受信端末と映像表示装置は同軸ケーブルで接続されているため、特許文献２の技術を適用可能か否かはユーザの接続機器状況に依存するという点が課題になる。また、別途インタフェースが必要になることから、コストが上昇するという課題もある。
【００１０】
この発明は、上記のような課題を解決するためになされたもので、常時動作を必要とする機能はそのままに、映像表示装置未使用時に無駄となる映像受信端末の消費電力を削減することを目的とする。
【課題を解決するための手段】
【００１１】
この発明に係る映像受信端末は、局側装置又はアンテナから入力された映像信号を復調すると共に利得を調整して映像表示装置へ送出する映像受信部と、映像受信部に電源供給する電源部と、映像表示装置の電源オン／オフ状態を監視して、そのオン／オフ状態に連動して電源部から映像受信部へ電源供給させる監視制御部とを備えるものである。
【００１２】
この発明に係る映像受信端末は、局側装置又はアンテナから入力された映像信号を復調する映像復調部と、映像復調部が復調した映像信号の映像チャンネル別に利得を調整して映像表示装置へ送出する複数の利得調整部と、映像復調部及び映像チャンネル別の複数の利得調整部それぞれに電源供給する電源部と、映像表示装置の所定の映像チャンネルの視聴可／不可状態を監視して、その視聴可／不可状態に連動して電源部から所定の映像チャンネル用の利得調整部へ電源供給させる監視制御部とを備えるものである。
【発明の効果】
【００１３】
この発明によれば、映像表示装置の電源オン／オフ状態を監視して、そのオン／オフ状態に連動して電源部から映像受信部へ電源供給させるようにしたので、常時動作を必要とする機能はそのままに、映像表示装置未使用時に無駄となる映像受信端末の消費電力を削減することができる。
【００１４】
この発明によれば、映像表示装置の電源オン／オフ状態又は所定の映像チャンネルを監視して、そのオン／オフ状態に連動して電源部から所定の映像チャンネル用の利得調整部へ電源供給させるようにしたので、映像表示装置のＢＳ／ＣＳ帯の視聴可又は視聴不可を判定して、ＢＳ／ＣＳ帯視聴不可の場合に無駄となる映像受信端末の消費電力を削減することができる。
【図面の簡単な説明】
【００１５】
【図１】この発明の実施の形態１に係る低消費電力化システムの構成を示すブロック図である。
【図２】実施の形態１に係る低消費電力化システムの動作を示すフローチャートであり、図２（ａ）は通常動作モードから低消費電力モードへの切り替えを示し、図２（ｂ）は低消費電力モードから通常動作モードへの切り替えを示す。
【図３】この発明の実施の形態２に係る低消費電力化システムの構成を示すブロック図である。
【図４】実施の形態２に係る低消費電力化システムの動作を示すフローチャートであり、図４（ａ）は通常動作モードから低消費電力モードへの切り替えを示し、図４（ｂ）は低消費電力モードから通常動作モードへの切り替えを示す。
【図５】この発明の実施の形態３に係る低消費電力化システムの構成を示すブロック図であり、ＢＳ／ＣＳ帯視聴可能状態の構成を示す。
【図６】この発明の実施の形態３に係る低消費電力化システムの構成を示すブロック図であり、ＢＳ／ＣＳ帯視聴不可状態の構成を示す。
【図７】実施の形態３に係る低消費電力化システムの動作を示すフローチャートである。
【発明を実施するための形態】
【００１６】
実施の形態１．
図１は、この発明の実施の形態１に係る低消費電力化システムの構成を示すブロック図である。図１に示す低消費電力化システムは、ＳＴＢ及びＯＮＵ等に相当する映像受信端末１及びテレビ受像機等に相当する映像表示装置２から構成され、映像受信端末１と映像表示装置２の間は同軸ケーブル５で接続される。不図示のアンテナで受信したＢＳ／ＣＳ（Ｃｏｍｍｕｎｉｃａｔｉｏｎ  Ｓａｔｅｌｌｉｔｅ）帯とＵＨＦ（Ｕｌｔｒａ  Ｈｉｇｈ  Ｆｒｅｑｕｅｎｃｙ）／ＶＨＦ（Ｖｅｒｙ  Ｈｉｇｈ  Ｆｒｅｑｕｅｎｃｙ）帯の映像信号は、同軸ケーブル３を通じて映像受信端末１へ入力される。また、不図示の局側装置から受信した映像信号は、光ファイバを通じて映像受信端末１へ入力される。
【００１７】
低消費電力化システムにおける信号の伝送方向に関しては、映像受信端末１から映像表示装置２の方向を下り方向と定義し、逆に映像表示装置２から映像受信端末１の方向を上り方向と定義する。下り方向の信号としては、映像受信端末１が送出する映像信号がある。上り方向の信号としては、映像表示装置２で発生したＢＳコンバータ（不図示）の給電がある。なお、給電用の上り信号は映像表示装置２から映像受信端末１へ入力されるとともに、ＢＳアンテナ用端子７を経由してＢＳコンバータへ入力される。
【００１８】
先ず映像受信端末１の各部を説明し、次に映像表示装置２の各部を説明する。
映像受信端末１は、自端末を駆動するための電源入力部４及び電源部１０と、映像復調部１２及び利得調整部１３を有して映像表示装置２への映像配信機能を実現する映像受信部１１と、フィルタ部１５、電圧検出部１６及び電源制御部１７を有して自端末の低消費電力化を実現する監視制御部１４とを少なくとも備え、その他、インターネット接続及び電話等のデータ通信機能を実現する構成を備えていてもよい。
【００１９】
電源入力部４は、外部からＤＣ又はＡＣの電源を映像受信端末１の電源部１０に入力する。電源部１０は、電源入力部４から入力されたＤＣ又はＡＣの電源を映像復調部１２、利得調整部１３、電圧検出部１６及び電源制御部１７に分配して電源供給する。
【００２０】
映像信号は、映像信号が光に変換されたり、変調及びスクランブルがかけられたりした状態で伝送され、光ファイバ又は同軸ケーブル３を経由して映像受信端末１に入力される。映像復調部１２は、この映像信号を適当な復調方法で復調し、復調後の映像信号を利得調整部１３へ出力する。なお、映像復調部１２が用いる復調方法に制限はなく、映像信号に応じた周知の方法を適用することができる。
利得調整部１３は、復調後の映像信号の各チャンネルについて、所定の出力パワーになるように調整を行って、同軸ケーブル５を通じて映像表示装置２に送出する。
【００２１】
フィルタ部１５は、映像表示装置２から送出された上り信号のうち、ＤＣ電圧を取り出して監視制御部１４内部の電圧検出部１６へ出力する。
電圧検出部１６は、上り信号のＤＣ電圧を監視して、予め設定された閾値（例えばＤＣ１５Ｖ規格値）以下の場合に電圧無検出情報を、閾値より大きい場合に電圧検出情報を電源制御部１７へ出力する。
電源制御部１７は、電圧検出部１６が出力した情報に応じて電源部１０を制御して、映像受信部１１の各部への電源供給ラインの供給開始／停止を行う。本実施の形態１の電源制御部１７は、ＢＳコンバータ給電のための上り信号の電圧が閾値より大きい場合（電圧検出情報）に映像表示装置２の主電源がオン状態と判断して映像受信部１１への電源供給を行い、閾値以下の場合（電圧無検出情報）にオフ状態と判定して映像受信部１１への電源供給を停止する。なお、監視制御部１４の各部は、映像表示装置２のオン／オフ状態によらず常時動作状態とする。
【００２２】
次に、映像表示装置２の各部を説明する。
映像表示装置２は、自装置を駆動するための電源入力部６及び電源部２０と、フィルタ部２１と、コンバータ電源供給部２２と、分配器２３と、ＢＳ／ＣＳ映像受信部２４と、ＵＨＦ／ＶＨＦ映像受信部２５とを備える。
【００２３】
電源入力部６は、外部からＤＣ又はＡＣの電源を映像表示装置２の電源部２０に入力する。電源部２０は、電源入力部６から入力されたＤＣ又はＡＣの電源をコンバータ電源供給部２２、ＢＳ／ＣＳ映像受信部２４及びＵＨＦ／ＶＨＦ映像受信部２５に分配して電源供給する。
【００２４】
コンバータ電源供給部２２は、ＤＣ１５Ｖ（規格値）の電圧を自装置の主電源に連動させて出力する。即ち、映像表示装置２の主電源がオン状態のときに、同軸ケーブル５を通じて、映像表示装置２から映像受信端末１へ上り信号としてＢＳコンバータ給電用のＤＣ電圧が送出される。なお、ＢＳ／ＣＳ映像受信部２４を備える映像表示装置２において、主電源に連動したＢＳコンバータ給電動作機能を構成することは周知技術であるため、詳細な説明は省略する。
フィルタ部２１は、コンバータ電源供給部２２から出力されるＤＣ１５Ｖ（規格値）のＤＣ電圧のみを同軸ケーブル５に出力する。
【００２５】
分配器２３は、映像受信端末１から送出された下り信号である映像信号を受信して、ＢＳ／ＣＳ帯とＵＨＦ／ＶＨＦ帯に分離し、ＢＳ／ＣＳ映像受信部２４とＵＨＦ／ＶＨＦ映像受信部２５に出力する。
ＢＳ／ＣＳ映像受信部２４及びＵＨＦ／ＶＨＦ映像受信部２５は、それぞれ、指定された映像チャンネルをモニタテレビ（不図示）に表示させる。ＢＳ／ＣＳ映像受信部２４及びＵＨＦ／ＶＨＦ映像受信部２５の処理は周知技術であるため、詳細な説明は省略する。
【００２６】
この低消費電力化システムにおいて、映像受信端末１と映像表示装置２はそれぞれが別々の電源を装備し、独立して動作する。従って、映像表示装置２のコンバータ電源供給部２２が送出する上り信号は、ＢＳコンバータ駆動用であって、映像受信端末１の駆動には無関係である。ただし、映像受信端末１は、同軸ケーブル５から上り信号を受信可能であるため、下記のように、この上り信号の電圧値に基づいて映像表示装置２の主電源のオン／オフ状態を判定し、映像表示装置２がオフ状態のときに不要な機能を停止する。
【００２７】
次に、実施の形態１に係る低消費電力化システムの動作を説明する。
図２は、図１に示す低消費電力化システムの動作を示すフローチャートであり、図２（ａ）は通常動作モードから低消費電力モードへの切り替えを示し、図２（ｂ）は低消費電力モードから通常動作モードへの切り替えを示す。
【００２８】
図２（ａ）において、低消費電力化システムは通常動作モード、即ち映像受信端末１の映像受信部１１及び映像表示装置２はオン状態である。なお、映像受信端末１において、監視制御部１４は通常動作モード及び低消費電力モードによらずオン状態である。
映像受信端末１の電圧検出部１６は、上り信号のＤＣ電圧を検出する（ステップＳＴ１）。検出後、電圧検出部１６は検出電圧が予め設定された閾値以下であるかを判定する（ステップＳＴ２）。検出電圧が閾値より大きければ（ステップＳＴ２“ＮＯ”）、電圧検出部１６はステップＳＴ１に戻って引き続き上り信号の電圧を検出する。他方、検出電圧が閾値以下であれば（ステップＳＴ２“ＹＥＳ”）、電圧検出部１６は電圧無検出情報を電源制御部１７に出力する（ステップＳＴ３）。検出電圧が閾値以下ということは即ち映像表示装置２がオフ状態に移行したということなので、電源制御部１７が電源部１０に対して映像受信部１１の各部への電源供給停止を指示して映像受信部１１をオフ状態にし、低消費電力モードに切り替える（ステップＳＴ４）。低消費電力モードのとき、映像表示装置２未使用時に不要な映像受信部１１はオフ状態になるが、常時動作の必要なデータ通信機能等はオン状態のままである。
【００２９】
図２（ｂ）において、低消費電力化システムは低消費電力モード、即ち映像受信端末１の映像受信部１１及び映像表示装置２がオフ状態である。
映像受信端末１の電圧検出部１６は、上り信号のＤＣ電圧を検出し（ステップＳＴ１１）、検出電圧が予め設定された閾値以下であるかを判定する（ステップＳＴ１２）。検出電圧が閾値以下であれば（ステップＳＴ１２“ＹＥＳ”）、電圧検出部１６はステップＳＴ１１に戻って引き続き上り信号の電圧を検出し、他方、検出電圧が閾値より大きければ（ステップＳＴ１２“ＮＯ”）、電圧検出情報を電源制御部１７に出力する（ステップＳＴ１３）。検出電圧が閾値より大きいということは即ち映像表示装置２がオン状態に移行したということなので、電源制御部１７が電源部１０に対して映像受信部１１の各部への電源供給を指示して映像受信部１１をオン状態にし、通常動作モードに切り替える（ステップＳＴ１４）。
【００３０】
以上より、実施の形態１によれば、映像受信端末１は、映像信号を復調すると共に利得を調整して映像表示装置２へ送出する映像受信部１１と、映像受信部１１に電源供給する電源部１０と、映像表示装置２の電源オン／オフ状態を監視して、そのオン／オフ状態に連動して電源部１０から映像受信部１１へ電源供給させる監視制御部１４とを備え、監視制御部１４は、映像表示装置２が電源オン状態の場合にＢＳコンバータに給電する電圧を検出する電圧検出部１６と、電圧検出部１６が検出した電圧値が所定の閾値以下の場合に電源部１０を制御して映像受信部１１への電源供給を停止させて低消費電力モードに切り替え、当該電圧値が所定の閾値より大きい場合に電源部１０を制御して映像受信部１１へ電源供給させて通常操作モードに切り替える電源制御部１７とを有するように構成した。このため、映像受信端末１の各種機能のうち、常時動作が必要な機能はそのままに、映像関連の映像受信部１１の機能のみを映像表示装置２の主電源オン／オフ状態に連動させて電源制御することができる。よって、映像表示装置２未使用時に無駄になる消費電力を削減できる。また、映像受信端末１と映像表示装置２の接続は同軸ケーブル５をそのまま用いることができるので、ＬＡＮケーブル等を用いる場合のように別途インタフェースを必要としない。
【００３１】
実施の形態２．
図３は、この発明の実施の形態２に係る低消費電力化システムの構成を示すブロック図であり、図１と同一又は相当の部分については同一の符号を付し説明を省略する。本実施の形態２に係る映像受信端末１ａは、上記実施の形態１の監視制御部１４に新たに電圧発生部１８及び整流部１９を追加した構成の監視制御部１４ａを備える。そして、通常動作モードから低消費電力モードへの切り替え判断に、映像表示装置２からの上り信号の電圧ではなく、下り信号の電流量を用いる。
【００３２】
映像受信端末１ａは、自端末の低消費電力化を実現する監視制御部１４ａとして、フィルタ部１５、電圧検出部（電流量検出部）１６ａ、電源制御部１７ａ、電圧発生部１８、整流部１９を有する。
電圧発生部１８は、予め設定されたＤＣ電圧（１５Ｖ以下）を発生させる。電圧発生部１８が発生させるＤＣ電圧により、映像受信端末１ａと映像表示装置２との間には、映像表示装置２の主電源オン／オフに応じた電流量の変化が生じる。そこで、電圧検出部１６ａは、この電流量を電圧として検出し、予め設定された閾値以下の場合に電圧無検出情報を、閾値より大きい場合に電圧検出情報を電源制御部１７ａへ出力する。なお、本実施の形態２では、上記実施の形態１とは反対に、電圧が閾値より大きい場合（電圧検出情報）に映像表示装置２の主電源がオフ状態と判断して映像受信部１１への電源供給を停止し、閾値以下の場合（電圧無検出情報）にオン状態と判定して映像受信部１１への電源供給を行う。
整流部１９は、電圧発生部１８への電流の逆流を防ぐ。
【００３３】
次に、実施の形態２に係る低消費電力化システムの動作を説明する。
図４は、図３に示す低消費電力化システムの動作を示すフローチャートであり、図４（ａ）は通常動作モードから低消費電力モードへの切り替えを示し、図４（ｂ）は低消費電力モードから通常動作モードへの切り替えを示す。
【００３４】
図４（ａ）において、低消費電力化システムは通常動作モードであり、映像受信端末１ａの映像受信部１１及び映像表示装置２はオン状態である。なお、映像受信端末１ａにおいて、監視制御部１４ａは通常動作モード及び低消費電力モードによらずオン状態である。
映像受信端末１ａの電圧発生部１８は常時動作しているので、この電圧発生部１８から予め設定された値のＤＣ電圧が常時出力される（ステップＳＴ２１）。電圧検出部１６ａは、映像受信端末１ａと映像表示装置２間の電流量を電圧として検出する（ステップＳＴ２２）。検出後、電圧検出部１６ａは、検出電圧（即ち電流量）が予め設定された閾値以下であるかを判定する（ステップＳＴ２３）。検出電圧が閾値以下であれば（ステップＳＴ２３“ＹＥＳ”）、電圧検出部１６ａはステップＳＴ２１に戻って引き続き電圧を検出する。他方、検出電圧が閾値より大きければ（ステップＳＴ２３“ＮＯ”）、電圧検出部１６ａは電圧検出情報を電源制御部１７ａに出力する（ステップＳＴ２４）。検出電圧が閾値より大きいということは即ち映像表示装置２がオフ状態に移行したということなので、電源制御部１７ａが電源部１０に対して映像受信部１１の各部への電源供給停止を指示して映像受信部１１をオフ状態にし、低消費電力モードに切り替える（ステップＳＴ２５）。
【００３５】
図４（ｂ）において、低消費電力化システムは低消費電力モードであり、映像受信端末１ａの映像受信部１１及び映像表示装置２はオフ状態である。
映像受信端末１ａの電圧発生部１８からＤＣ電圧が常時出力される（ステップＳＴ３１）。電圧検出部１６ａは、映像受信端末１ａと映像表示装置２間の電流量を電圧として検出し（ステップＳＴ３２）、検出電圧（即ち電流量）が閾値以下であるかを判定する（ステップＳＴ３３）。検出電圧が閾値より大きければ（ステップＳＴ３３“ＮＯ”）、電圧検出部１６ａはステップＳＴ３１に戻って引き続き電圧を検出し、他方、検出電圧が閾値以下であれば（ステップＳＴ３３“ＹＥＳ”）、電圧無検出情報を電源制御部１７ａに出力する（ステップＳＴ３４）。検出電圧が閾値以下ということは即ち映像表示装置２がオン状態に移行したということなので、電源制御部１７ａが電源部１０に対して映像受信部１１の各部への電源供給を指示して映像受信部１１をオン状態にし、通常動作モードに切り替える（ステップＳＴ３５）。
【００３６】
以上より、実施の形態２によれば、映像受信端末１ａの監視制御部１４ａは、映像表示装置２が電源オン状態の場合にＢＳコンバータに給電するための同軸ケーブル５の電流量を電圧として検出する電圧検出部１６ａと、同軸ケーブル５に接続して電圧を発生させる電圧発生部１８と、電圧検出部１６ａが検出した電流量が所定の閾値より大きい場合に電源部１０を制御して映像受信部１１への電源供給を停止させて低消費電力モードに切り替え、当該電流量が所定の閾値以下の場合に電源部１０を制御して映像受信部１１へ電源供給させて通常動作モードに切り替える電源制御部１７ａとを有するように構成した。このため、映像受信端末１ａの各種機能のうち、常時動作が必要な機能はそのままに、映像関連の映像受信部１１の機能のみを映像表示装置２の主電源オン／オフ状態に連動させて電源制御することができる。よって、映像表示装置２未使用時に無駄になる消費電力を削減できる。また、映像受信端末１ａと映像表示装置２の接続は同軸ケーブル５をそのまま用いることができるので、ＬＡＮケーブル等を用いる場合のように別途インタフェースを必要としない。
【００３７】
実施の形態３．
図５及び図６はこの発明の実施の形態３に係る低消費電力化システムの構成を示すブロック図であり、図５はＢＳ／ＣＳ帯視聴可能状態の構成、図６はＢＳ／ＣＳ帯視聴不可状態の構成である。なお、図５及び図６において、図１と同一又は相当の部分については同一の符号を付し説明を省略する。本実施の形態３に係る映像受信端末１ｂは、上記実施の形態１の利得調整部１３を２つに分けて、ＢＳ／ＣＳ帯の周波数帯域の利得調整を行うＢＳ／ＣＳ利得調整部１３ａと、ＵＨＦ／ＶＨＦ帯の周波数帯域の利得調整を行うＵＨＦ／ＶＨＦ利得調整部１３ｂとした。これらＢＳ／ＣＳ利得調整部１３ａ及びＵＨＦ／ＶＨＦ利得調整部１３ｂは、電源部１０から別々に電源供給を受け、別々に動作する。
【００３８】
図５に示すように、視聴者がＢＳ／ＣＳ帯及びＵＨＦ／ＶＨＦ帯のチャンネルを視聴できる場合、映像受信端末１ｂは復調後の映像信号をＢＳ／ＣＳ利得調整部１３ａ及びＵＨＦ／ＶＨＦ利得調整部１３ｂでそれぞれ利得調整して同軸ケーブル５へ送出する。映像表示装置２は同軸ケーブル５から入力された映像信号を分配器２３で受信し、ＢＳ／ＣＳ映像受信部２４及びＵＨＦ／ＶＨＦ映像受信部２５へ分配する。図５の構成の場合には、コンバータ電源供給部２２が映像表示装置２の主電源に連動してＢＳコンバータへ給電する。
よって、映像受信端末１ｂにおいて、電圧検出部１６が検出する電圧が閾値以下の場合には、映像表示装置２の主電源がオフ状態であると判断できる。また、このときには、当然ながらＢＳ／ＣＳ帯は視聴不可状態である。
【００３９】
他方、図６に示すように、視聴者がＢＳ／ＣＳ帯のチャンネルは視聴できず、ＵＨＦ／ＶＨＦ帯のチャンネルを視聴できる場合、図５とは同軸ケーブル５の接続方法が異なる。ＢＳ／ＣＳ帯のチャンネルは視聴できないので、同軸ケーブル５は分配器２３及びコンバータ電源供給部２２と接続せず、ＵＨＦ／ＶＨＦ映像受信部２５に直接接続する。
よって、映像受信端末１ｂにおいて、電圧検出部１６が検出する電圧が閾値以下の場合には、映像表示装置２がＢＳ／ＣＳ帯視聴不可状態であると判断できる。
【００４０】
従って、電源制御部１７は、電圧検出部１６から電圧無検出情報が入力された場合には、図５、図６どちらの場合であっても映像表示装置２がＢＳ／ＣＳ帯視聴不可状態なので、電源部１０を制御してＢＳ／ＣＳ利得調整部１３ａへの電源供給を停止させる。
【００４１】
次に、実施の形態３に係る低消費電力化システムの動作を説明する。
図７は、図５及び図６に示す低消費電力化システム共通の動作を示すフローチャートであり、通常動作モードから低消費電力モードへの切り替えを示す。
【００４２】
図７において、低消費電力化システムは通常動作モードであり、映像受信端末１ｂの映像受信部１１ａ及び映像表示装置２はオン状態である。なお、映像受信端末１ｂにおいて、監視制御部１４は通常動作モード及び低消費電力モードによらずオン状態である。
映像受信端末１ｂの電圧検出部１６は、上り信号のＤＣ電圧を検出する（ステップＳＴ４１）。検出後、電圧検出部１６は検出電圧が予め設定された閾値以下であるかを判定する（ステップＳＴ４２）。検出電圧が閾値より大きければ（ステップＳＴ４２“ＮＯ”）、電圧検出部１６はステップＳＴ４１に戻って引き続き上り信号の電圧を検出する。他方、検出電圧が閾値以下であれば（ステップＳＴ４２“ＹＥＳ”）、電圧検出部１６は電圧無検出情報を電源制御部１７に出力する（ステップＳＴ４３）。検出電圧が閾値以下ということは即ち映像表示装置２がオフ状態に移行したか、又はＢＳ／ＣＳ帯視聴不可状態であるので、電源制御部１７が電源部１０に対してＢＳ／ＣＳ利得調整部１３ａの電源供給停止を指示してＢＳ／ＣＳ利得調整部１３ａをオフ状態にし、低消費電力モードに切り替える（ステップＳＴ４４）。
【００４３】
低消費電力モードから通常動作モードへの切り替えは、上記実施の形態１の図２（ｂ）と略同じであるため、説明を省略する。
【００４４】
以上より、実施の形態３によれば、映像受信端末１ｂは、映像信号を復調する映像復調部１２と、映像復調部１２が復調した映像信号のＢＳ／ＣＳ帯を利得調整するＢＳ／ＣＳ利得調整部１３ａと、ＵＨＦ／ＶＨＦ帯を利得調整するＵＨＦ／ＶＨＦ利得調整部１３ｂと、映像復調部１２、ＢＳ／ＣＳ利得調整部１３ａ及びＵＨＦ／ＶＨＦ利得調整部１３ｂそれぞれに電源供給する電源部１０と、映像表示装置２のＢＳ／ＣＳ帯視聴可／不可状態を監視して、その視聴可／不可状態に連動して電源部１０からＢＳ／ＣＳ利得調整部１３ａへ電源供給させる監視制御部１４とを備え、監視制御部１４は、映像表示装置２がＢＳ／ＣＳ帯視聴可能状態の場合にＢＳコンバータに給電する電圧を検出する電圧検出部１６と、電圧検出部１６が検出した電圧値が所定の閾値以下の場合に電源部１０を制御してＢＳ／ＣＳ利得調整部１３ａへの電源供給を停止させて低消費電力モードに切り替え、当該電圧値が所定の閾値より大きい場合に電源部１０を制御してＢＳ／ＣＳ利得調整部１３ａへ電源供給させて通常動作モードに切り替える電源制御部１７とを有するように構成した。このため、映像受信端末１ｂの各種機能のうち、常時動作が必要な機能はそのままに、ＢＳ／ＣＳ帯視聴のためのＢＳ／ＣＳ利得調整部１３ａの機能のみを映像表示装置２のＢＳ／ＣＳ帯視聴可／不可状態に連動させて電源制御することができる。よって、映像表示装置２未使用時又はＢＳ／ＣＳ帯視聴不可状態時に無駄になる消費電力を削減できる。また、映像受信端末１ｂと映像表示装置２の接続は同軸ケーブル５，５ａをそのまま用いることができるので、ＬＡＮケーブル等を用いる場合のように別途インタフェースを必要としない。
【符号の説明】
【００４５】
１，１ａ，１ｂ  映像受信端末、２  映像表示装置、３  同軸ケーブル、５，５ａ  同軸ケーブル、４，６  電源入力部、７  ＢＳアンテナ用端子、１０  電源部、１１，１１ａ  映像受信部、１２  映像復調部、１３  利得調整部、１３ａ  ＢＳ／ＣＳ利得調整部、１３ｂ  ＵＨＦ／ＶＨＦ利得調整部、１４，１４ａ  監視制御部、１５  フィルタ部、１６，１６ａ  電圧検出部、１７，１７ａ  電源制御部、１８  電圧発生部、１９  整流部、２０  電源部、２１  フィルタ部、２２  コンバータ電源供給部、２３  分配器、２４  ＢＳ／ＣＳ映像受信部、２５  ＵＨＦ／ＶＨＦ映像受信部。
【図１】
2011091547.tif 000003
【図２】
2011091547.tif 000004
【図３】
2011091547.tif 000005
【図４】
2011091547.tif 000006
【図５】
2011091547.tif 000007
【図６】
2011091547.tif 000008
【図７】
2011091547.tif 000009